(57)【要約】【課題】 既設の居室親機を変更することなく居室親機に接続できる増設機器数を拡張できるテレビインターホン装置を提供する。【解決手段】  居室親機２に接続された増設親機３に増設アダプタ４を接続し、この増設アダプタ４を介して、増設機器５を接続した。増設アダプタ４は、居室親機２や増設親機３を接続する親機接続部１０と、増設機器５を接続するための複数の増設機器接続部１１を有し、親機接続部１０には映像信号伝送路を終端する映像終端回路１３を設けた。また、接続機器の間の通信を制御するアダプタＣＰＵ１２を備え、接続した機器間の通信及びカメラ撮像映像信号の伝送を可能とした。【選択図】  図２
2007067693.tif 000002
【特許請求の範囲】
【請求項１】
居住者を呼び出すための玄関子機と、前記玄関子機の呼び出しに応答するための居室親機とを有し、前記玄関子機は来訪者を撮像するカメラを備えると共に、前記居室親機は前記カメラの撮像映像を出画するモニタを備えて成るテレビインターホン装置であって、
前記居室親機は増設アダプタを介して、増設親機、映像録画装置、音声録画装置等の増設機器が複数接続されて成り、
前記増設アダプタは、前記居室親機を介して前記玄関子機へ続く映像信号伝送路を終端する終端手段を有すると共に、前記増設機器と居室親機との間で通信を可能とする通信制御手段を備えたことを特徴とするテレビインターホン装置。
【請求項２】
居住者を呼び出すための玄関子機と、前記玄関子機の呼び出しに応答するための居室親機と、前記居室親機に接続された少なくとも１台の増設親機を有し、前記玄関子機は来訪者を撮像するカメラを備えると共に、前記居室親機は前記カメラの撮像映像を出画するモニタを備えて成るテレビインターホン装置であって、
前記増設親機は増設アダプタを介して、第２の増設親機、映像録画装置、音声録画装置等の増設機器が複数接続されて成り、
前記増設アダプタは、前記居室親機を介して前記玄関子機へ続く映像信号伝送路を終端する終端手段を有すると共に、前記増設機器と前記居室親機或いは前記増設親機との間で通信を可能とする通信制御手段を備えたことを特徴とするテレビインターホン装置。
【請求項３】
前記増設アダプタは、前記居室親機或いは増設親機に接続するための親機側制御ポート及び親機側映像ポートと、前記増設機器を接続するための複数の増設側制御ポート及び増設側映像ポートの組を備え、
前記通信制御手段は、前記親機側制御ポートと前記増設側制御ポートの間、及び前記親機側映像ポートと前記増設側映像ポートの間で通信を可能とし、通話信号及び映像信号を伝送可能としたことを特徴とする請求項１又は２記載のテレビインターホン装置。 
【請求項４】
前記通信制御手段は、前記増設側制御ポートと前記増設側映像ポートの組に接続された増設機器の相互間で通信を可能とすることを特徴とする請求項３に記載のテレビインターホン装置。
【請求項５】
前記増設アダプタは、前記カメラによって撮像された映像を録画する録画手段を備えたことを特徴とする請求項１乃至４の何れかに記載のテレビインターホン装置。
【請求項６】
玄関子機にカメラを備えたテレビインターホン装置の居室親機や増設親機等の親機を接続する親機接続部と、増設親機、映像録画装置、音声録画装置等の増設機器を接続するための複数の増設機器接続部とを有し、テレビインターホン装置の親機側機器の増設を可能とする増設アダプタであって、
前記親機接続部に接続された機器に対して映像信号伝送路を終端する終端手段を有すると共に、接続機器の間の通信を制御する通信制御手段を有し、接続した機器間で通信を可能とし、更に前記カメラの撮像映像信号の伝送を可能としたことを特徴とする増設アダプタ。
【発明の詳細な説明】
【技術分野】
【０００１】
本発明は、玄関子機に設けられたカメラで撮像した映像を居室親機で出画するテレビインターホン装置に関し、特に増設親機を備えたテレビインターホン装置、及び増設親機の接続を可能とする増設アダプタに関する。
【背景技術】
【０００２】
玄関子機にカメラを設け、カメラで撮像した来訪者映像を居室親機に伝送し、居室親機に設けたモニタにその撮像映像を出画するテレビインターホン装置は、撮像した映像信号をＦＭ変調して居室親機へ伝送し、居室親機は受信した映像信号を復調して出画させている。そのため、映像信号の伝送路は、映像信号の劣化を抑えるためにインピーダンスが所定の値に設定され、終端となる部位では整合を図るために終端抵抗が設置されている。例えば、親機が居室親機の１台の場合は居室親機内に終端抵抗が設けられているし、居室親機に更に増設親機が接続されている場合には、増設親機に終端抵抗が設けられている。
【０００３】
また、図４は居室親機に更に増設機器が縦列に２台接続されている状態を示し、図４において、３０は玄関子機、３１は居室親機、３２は増設親機である。このように親機が複数の場合は、居室親機１に接続された一方の増設親機３２の終端スイッチはオフされ、終端となる他方の増設親機３２の終端スイッチ（図示せず）はオンされて映像信号伝送路は終端される。
このように、居室親機に増設機器が接続される場合、信号伝送路の終端位置が変更されるので、終端抵抗の位置変更操作が成され、新たに終端となる親機（増設機器）に終端抵抗を設ける操作を行っていた（例えば、特許文献１参照）。
【０００４】
【特許文献１】特開２００５−２１７７２３号公報
【発明の開示】
【発明が解決しようとする課題】
【０００５】
しかしながら、上記従来のテレビインターホン装置は、居室親機に増設親機等の機器が接続可能であっても、居室親機のインターフェースの最大接続数に制限があるため、接続台数は例えば３台までと制限されており、無制限に増設できるわけではなく、自由度が低かった。
そこで、本発明はこのような問題点に鑑み、例えば居室親機に接続できる増設機器の台数に制限があっても、居室親機を変更することなく接続可能な増設機器数を拡張できるテレビインターホン装置、及び増設機器を接続するための増設アダプタを提供することを目的とする。
【課題を解決するための手段】
【０００６】
上記課題を解決する為に、請求項１に記載の発明は、居住者を呼び出すための玄関子機と、玄関子機の呼び出しに応答するための居室親機とを有し、玄関子機は来訪者を撮像するカメラを備えると共に、居室親機はカメラの撮像映像を出画するモニタを備えて成るテレビインターホン装置であって、居室親機は増設アダプタを介して、増設親機、映像録画装置、音声録画装置等の増設機器が複数接続されて成り、増設アダプタは、居室親機を介して玄関子機へ続く映像信号伝送路を終端する終端手段を有すると共に、増設機器と居室親機との間で通信を可能とする通信制御手段を備えたことを特徴とする。
具体的に、映像信号伝送路の終端手段を有する増設アダプタが、増設機器接続のためのインターフェイスを備えた居室親機に増設機器の代わりに接続されることで、居室親機は増設アダプタが末端の機器であると判断し、増設アダプタに増設機器が接続されても、居室親機は増設アダプタから先には接続機器はないと判断する。
こうして、増設親機等を容易に居室親機に接続でき、既設の居室親機を変更することなく増設機器接続数を拡張できる。そして、増設アダプタが玄関子機に接続されている映像信号伝送路を終端するので、その後に接続する増設機器に拘わらず居室親機は良好な映像信号を受信できるし、通信制御手段により増設機器は玄関子機或いは居室親機と良好に通信できる。
【０００７】
請求項２の発明は、居住者を呼び出すための玄関子機と、玄関子機の呼び出しに応答するための居室親機と、居室親機に接続された少なくとも１台の増設親機を有し、玄関子機は来訪者を撮像するカメラを備えると共に、居室親機はカメラの撮像映像を出画するモニタを備えて成るテレビインターホン装置であって、増設親機は増設アダプタを介して、第２の増設親機、映像録画装置、音声録画装置等の増設機器が複数接続されて成り、増設アダプタは、居室親機を介して玄関子機へ続く映像信号伝送路を終端する終端手段を有すると共に、増設機器と居室親機或いは増設親機との間で通信を可能とする通信制御手段を備えたことを特徴とする。
具体的に、映像信号伝送路の終端手段を有する増設アダプタが、増設機器接続のためのインターフェイスを備えた居室親機に増設機器の代わりに接続されることで、居室親機は増設アダプタが末端の機器であると判断し、増設アダプタに増設機器が接続されても、居室親機は増設アダプタから先には接続機器はないと判断する。
こうして、増設親機等を容易に居室親機に接続でき、既設の居室親機を変更することなく増設機器接続数を拡張できる。そして、増設アダプタが玄関子機に接続されている映像信号伝送路を終端するので、その後に接続する増設機器に拘わらず居室親機は良好な映像信号を受信できるし、通信制御手段により増設機器は玄関子機或いは居室親機と良好に通信できる。
【０００８】
請求項３の発明は、請求項１又は２記載の発明において、増設アダプタは、居室親機或いは増設親機に接続するための親機側制御ポート及び親機側映像ポートと、増設機器を接続するための複数の増設側制御ポート及び増設側映像ポートの組を備え、通信制御手段は、親機側制御ポートと増設側制御ポートの間、及び親機側映像ポートと増設側映像ポートの間で通信を可能とし、通話信号及び映像信号を伝送可能としたことを特徴とする。 
この構成により、増設機器は、玄関子機及び居室親機と通信できるし、玄関子機カメラの撮像映像を良好に受信でき、増設機器にもカメラ映像を出画させることができる。
【０００９】
請求項４の発明は、請求項３に記載の発明において、通信制御手段は、増設側制御ポートと増設側映像ポートの組に接続された増設機器の相互間で通信を可能とすることを特徴とする。
この構成により、増設機器の間でも通信ができ、利便性が向上する。
【００１０】
請求項５の発明は、請求項１乃至４の何れかに記載の発明において、増設アダプタは、カメラによって撮像された映像を録画する録画手段を備えたことを特徴とする。
この構成により、個々の増設機器に録画手段を設けることなくカメラ撮像映像を録画できる。
【００１１】
請求項６の発明は、玄関子機にカメラを備えたテレビインターホン装置の居室親機や増設親機等の親機を接続する親機接続部と、増設親機、映像録画装置、音声録画装置等の増設機器を接続するための複数の増設機器接続部とを有し、テレビインターホン装置の親機側機器の増設を可能とする増設アダプタであって、親機接続部に接続された機器に対して映像信号伝送路を終端する終端手段を有すると共に、接続機器の間の通信を制御する通信制御手段を有し、接続した機器間で通信を可能とし、更にカメラの撮像映像信号の伝送を可能としたことを特徴とする。
この構成により、映像信号伝送路を終端するので、その後に接続する増設機器に拘わらず居室親機は良好な映像信号を受信できる。そして、増設アダプタに接続した増設機器は、玄関子機、居室親機と良好に通信及び映像信号の受信ができる。
【発明の効果】
【００１２】
本発明に係るテレビインターホン装置によれば、増設親機等を容易に居室親機に接続でき、既設の居室親機を変更することなく増設機器接続数を拡張できる。そして、増設アダプタが玄関子に接続されている映像信号伝送路を終端するので、その後に接続する増設機器に拘わらず居室親機は良好な映像信号を受信できるし、増設機器は玄関子機或いは居室親機と良好に通信できる。
また、本発明に係る増設アダプタによれば、玄関子機に接続されている映像信号伝送路を終端するので、その後に接続する増設機器に拘わらず居室親機は良好な映像信号を受信できる。そして、増設アダプタに接続した増設機器は、玄関子機、居室親機と良好に通信及び映像信号の受信ができる。
【発明を実施するための最良の形態】
【００１３】
以下、本発明を具体化した実施の形態を、図面に基づいて詳細に説明する。図１は、本発明に係るテレビインターホン装置の構成図であり、１は居住者を呼び出すための玄関子機、２は玄関子機１の呼び出しに応答するための居室親機、３は増設親機、４は増設アダプタ、５（５ａ〜５ｎ）は複数の増設親機から成る増設機器（第２の増設親機であり、以下増親Ａ５ａ〜増親Ｎ５ｎとする）を示している。そして、玄関子機１は来訪者を撮影するカメラ６を備え、居室親機２、増設親機３、及び増親Ａ５ａ〜増親Ｎ５ｎはカメラ６の撮像映像を出画する為のモニタ７を備え、玄関子機１と居室親機２の間、居室親機２と増設親機３の間、増設親機３と増設アダプタ４の間に夫々映像信号伝送路でもある信号伝送路Ｌ１，Ｌ２，Ｌ３が設けられ、増親Ａ５ａ〜増親Ｎ５ｎは各々増設アダプタ４に信号伝送路Ｌ４ａ〜Ｌ４ｎで接続されている。また、１ａは玄関子機１の呼出ボタン、９は親機側の呼出ボタン、２ａ，３ａ，８は夫々親機側の通話ボタンを示している。
【００１４】
増設アダプタは、図２のブロック図に示すような構成を有している。図２において、１０は居室親機２又は増設親機３に接続する為の親機接続部、１１，１１・・は増設機器を接続する増設機器接続部であり、親機接続部１０は親機側制御ポートとしての制御ポート１０ａ、親機側映像ポートとしての映像ポート１０ｂを有し、増設機器接続部１１は増設側制御ポートとしての制御ポート１１ａ、増設側映像ポートとしての映像ポート１１ｂを有し、通信及び映像情報の伝送が可能となっている。
また、１２は個々の接続部１０，１１，１１・・の間の通信及び映像信号の伝送を制御する通信制御手段としてのアダプタＣＰＵであり、各接続部１０，１１，１１・・に接続された機器の間での通信を制御し、居室親機２を介して玄関子機１から送られてきた映像信号を各接続機器へ伝送する制御を実施する。また、１３は終端手段としての映像終端回路であり、親機接続部１０の映像ポート１０ｂは増設機器接続の有無に拘わらず終端状態にある。
【００１５】
このように構成されたテレビインターホン装置は次のように動作する。玄関子機１において呼出ボタン１ａが押下されて呼び出しが成されると、信号伝送路Ｌ１を介して居室親機２に、信号伝送線Ｌ２を介して増設親機３に呼出信号は伝送される。そして信号伝送路Ｌ３を介して増設アダプタ４の親機接続部１０の制御ポート１０ａへ呼出信号は伝送される。増設アダプタ４へ伝送された呼出信号は、アダプタＣＰＵ１２の制御により、増設機器接続部１１に制御ポート１１ａから制御信号伝送線Ｌ４ａ〜Ｌ４ｎを介して増親Ａ５ａ〜増親Ｎ５ｎへ送信される。
【００１６】
また、玄関子機１から呼び出しが成されると、居室親機２がカメラ６を起動し、カメラ６が撮像した映像信号が信号伝送線Ｌ１，Ｌ２を介して居室親機２、増設親機３に伝送される。この映像信号を受けて、双方のモニタ７，７にカメラ６の撮像映像が出画される。更に、信号伝送線Ｌ３を介して増設アダプタ４の映像ポート１０ｂに伝送され、アダプタＣＰＵ１２は受信した映像信号を増設機器接続部１１の各映像ポート１１ｂに出力し、増親Ａ５ａ〜増親Ｎ５ｎのモニタ７にはカメラ６の撮像映像が出画される。
【００１７】
そして、例えば、増親Ａ５ａの通話ボタン８が押下されると増親Ａ５ａから制御信号が増設アダプタ４へ送信され、アダプタＣＰＵ１２の制御により制御信号は居室親機２へ伝送される。居室親機２は制御信号を受信したら玄関子機１と増設アダプタ４間の通話路を確立する。この時、アダプタＣＰＵ１２は、玄関子機と増親Ａ５ａの通話路を確立するよう制御し、同時に増親Ｂ５ｂ〜増親Ｎ５ｎは話中状態になるように制御する。このようにして、玄関子機１と増設機器５の増親Ａ５ａとの間で通話が可能となる。
【００１８】
また、居室親機２又は増設親機３から呼出ボタン９により増設機器に呼び出しが成されると、呼出信号は玄関子機１からの呼び出しと同様に増設アダプタ４へ伝送され、アダプタＣＰＵ１２の制御により増親Ａ５ａ〜増親Ｎ５ｎへ呼出信号が送信される。呼出信号を受信した例えば増親Ａ５ａの通話ボタン８が押下されると、制御信号が増設アダプタ４へ伝送され、アダプタＣＰＵ１２の制御により居室親機２又は増設親機３へ伝送される。居室親機２又は増設親機３は、制御信号を受信したら増設アダプタ４との通話路を確立する。この時、アダプタＣＰＵ１２は、居室親機２又は増設親機３と増親Ａ５ａとの通話路を確立するよう制御し、同時に増親Ｂ５ｂ〜増親Ｎ５ｎが話中状態になるように制御する。このようにして、居室親機２又は増設親機３と増設機器５の増親Ａ５ａとの間で通話が可能となる。
【００１９】
逆に、増設機器から居室親機２又は増設親機３へ呼出ボタン９により室内呼出が成された場合、例えば増親Ａ５ａからの呼び出しが成されると、呼出信号はアダプタＣＰＵ１２の制御により、居室親機２、増設親機３へそれぞれ伝送される。そして、呼び出しを受けた居室親機２、増設親機３の通話ボタン２ａ又は３ａが押下されると、制御信号が増設アダプタ４へ伝送され、アダプタＣＰＵ１２の制御により居室親機２または増設親機３と増親Ａ５ａとの通話路が確立される。尚、この時、アダプタＣＰＵ１２の制御により増親Ｂ５ｂ〜増親Ｎ５ｎは話中状態になる。このようにして、居室親機２または増設親機３と増設機器５との間で通話が可能となる。
【００２０】
一方、増設機器５のうち、例えば増親Ａ５ａにおいて呼出ボタン９により室内呼出が行われ、増親Ｂ５ｂ〜増親Ｎ５ｎの何れかの間で通話を実施することも可能である。例えば、増親Ａ５ａと増親Ｂ５ｂとの間で通話が実施される場合は以下のようである。増親Ａ５ａからの呼出信号は増設アダプタ４へ送信され、呼出信号を受信したアダプタＣＰＵ１２は、増親Ｂ５ｂ〜増親Ｎ５ｎ、居室親機２、増設親機３へ呼出信号をそれぞれ送信する。そして、増親Ｂ５ｂの通話ボタン８が押下されると、制御信号が増設アダプタ４へ送信される。制御信号を受信した増設アダプタ４は、アダプタＣＰＵ１２の制御により増親Ｂ５ｂと増親Ａ５ａの通話路を確立する。この時、アダプタＣＰＵ１２により増親Ｃ５ｃ〜増親Ｎ５ｎと居室親機２と増設親機３が話中状態になるように制御される。このようにして増設機器５同士で通話が可能となる。
【００２１】
このように、映像信号伝送路の終端手段を有する増設アダプタが、増設機器接続のためのインターフェイスを備えた居室親機に増設機器の代わりに接続されることで、居室親機は増設アダプタが末端の機器であると判断し、増設アダプタに増設機器が接続されても、居室親機は増設アダプタから先には接続機器はないと判断する。その結果、増設親機等を容易に居室親機に接続でき、既設の居室親機を変更することなく増設機器接続数を拡張できる。そして、増設アダプタが玄関子機に接続されている映像信号伝送路を終端するので、その後に接続する増設機器に拘わらず居室親機は良好な映像信号を受信できるし、アダプタＣＰＵにより増設機器は玄関子機或いは居室親機と良好に通信できる。
また、増設機器は、玄関子機及び居室親機と通信できるし、玄関子機カメラの撮像映像を良好に受信でき、増設機器にもカメラ映像を出画させることができるし、増設機器の間でも通信ができ、利便性が向上する。
【００２２】
図３は増設アダプタの他の例を示すブロック図であり、この増設アダプタ１５は個々の接続部に専用のポートを設けず、呼出信号処理回路１６、制御信号処理回路１７を設けて同様の制御を可能としている。１８は音声信号ＩＦ（インターフェイス）、１９は映像信号ＩＦ（インターフェイス）、２０は玄関子機１から伝送されてきたカメラ６の撮像映像を録画する録画ユニット、２１はこれらを制御するアダプタＣＰＵを示している。録画ユニット２０はメモリカードで構成され、増設アダプタユニット１５から取り外し可能となっている。取り外してパーソナルコンピュータ等に接続することで映像データを容易に編集，加工等が可能となる。
【００２３】
以下、この増設アダプタ１５を図１の増設アダプタ４に代えてテレビインターホン装置に取り付けた場合の動作を説明する。玄関子機１からの呼出信号を受信したら、呼出信号処理回路１６はアダプタＣＰＵ２１の制御により増設機器５へ呼出信号を送信する。例えば、増親Ａ５ａにより応答する場合、増親Ａ５ａの通話ボタン８を押下すると制御信号が増設アダプタ２１へ送信される。増設アダプタ２１内の制御信号処理回路１７にて制御信号を受信し、アダプタＣＰＵ２１の制御により居室親機２へ制御信号を伝送し、居室親機２は制御信号を受信したら玄関子機１と増設アダプタ１５の音声信号ＩＦ１８間の通話路を確立する。以下上記実施形態と同様に動作し、増設アダプタ１５は、玄関子機１と増親Ａ５ａの通話路を確立させ、増親Ｂ５ｂ〜増親Ｎ５ｎを話中状態にする。こうにして、玄関子機１と増親Ａ５ａの間で通話が可能となる。通話は音声信号ＩＦ１８により成される。
【００２４】
また、玄関子機１から伝送されてきた映像信号は、増設アダプタ１５の映像信号ＩＦ１９を介して各増設機器５へ伝送され、増親Ａ５ａ〜増親Ｎ５ｎのモニタ７に、カメラ６の撮像映像が出画される。
【００２５】
そして録画ユニット２０は次のように動作する。玄関子機１のカメラ６から増設アダプタ１５に送信された映像信号は、アダプタＣＰＵ２１の制御により録画ユニット２０にて自動録画される。そして、待受時に居室親機２や増設親機３や増設機器５の録画再生ボタン９を押下すると、再生信号を受けた増設アダプタ１５はアダプタＣＰＵ２１の制御により録画データを送信し、居室親機２や増設親機３、更には増設機器５で再生することができる。
【００２６】
一方で、居室親機２または増設親機３から増設機器５に呼出信号があった場合は、呼出信号は玄関子機１からの呼び出しと同様に、呼出信号は増設アダプタ１５へ伝送される。そして、呼出信号処理回路１６にて呼出信号を受信し、アダプタＣＰＵ２１の制御により増設機器５へ呼出信号を送信する。以下上記実施形態と同様の動作が成され、居室親機２又は増設親機３と増設機器５との間で通話が可能となる。
このように、増設アダプタに録画ユニットを設けることで、個々の増設機器に録画手段を設けることなくカメラ撮像映像を録画でき、防犯等に役立てることができる。
【００２７】
尚、録画ユニット２０は、図２に示す構成の増設アダプタ４に設けても良い。また、増設機器は、居室親機と同様の構成の増設親機に限定するものではなく、インターフェイスや映像機器、更には映像を加工処理する為のパーソナルコンピュータであっても良い。
また、増設アダプタ１５に設けた録画ユニット２０はメモリーカードとして増設アダプタ１５から取り外し可能としたが、メモリチップ等で構成して増設アダプタ内に組み付けても良い。
【図面の簡単な説明】
【００２８】
【図１】本発明に係るテレビインターホン装置の実施形態の一例を示す構成図である。
【図２】本発明に係る増設アダプタのブロック図である。
【図３】増設アダプタの他の例を示すブロック図である。
【図４】従来のテレビインターホン装置の構成図である。
【符号の説明】
【００２９】
１・・玄関子機、２・・居室親機、３・・増設親機、４・・増設アダプタ、５（５ａ〜５ｎ）・・増設機器、６・・カメラ、７・・モニタ、１０・・親機接続部、１０ａ・・制御ポート（親機側制御ポート）、１０ｂ・・映像ポート（親機側映像ポート）、１１・・増設機器接続部、１１ａ・・制御ポート（増設側制御ポート）、１１ｂ・・映像ポート（増設側映像ポート）、１２・・アダプタＣＰＵ（通信制御手段）、１３・・映像終端回路（終端手段）、１５・・増設アダプタ、２０・・録画ユニット（録画手段）、２１・・アダプタＣＰＵ（通信制御手段）、Ｌ１〜Ｌ４・・信号伝送路（映像信号伝送路）。
【図１】
2007067693.tif 000003
【図２】
2007067693.tif 000004
【図３】
2007067693.tif 000005
【図４】
2007067693.tif 000006